(57)【要約】【課題】側面パネルの本体ハウジングへの装着容易性を確保しつつ、側面パネルを本体ハウジングに確実に装着することができる手乾燥装置を提供すること。【解決手段】この手乾燥装置１は、排水溝３２から流れる水を受け入れる水受入口１９ａが水受けトレー１９の上端に設けられており、側面部材３４の外側表面には、前後方向の少なくとも中央近傍の水受入口１９ａよりも下方において、上方に突出する本体側係合部３６が前後方向に延びるように設けられ、側面パネル２ｄの側面部材３４に対向する裏面には、本体側係合部３６と係合可能なようにパネル側係合部５５が設けられている。【選択図】図８
2011072399.tif 000002
【特許請求の範囲】
【請求項１】
使用者の手に空気を吹き付けて乾燥させる手乾燥装置であって、
空気を吹き出す送風機と、
前記送風機を内蔵し、正面部材、背面部材及び側面部材、並びに上面に開口する手挿入用開口部を有する手乾燥室から構成された箱状の本体ハウジングと、
前記送風機から送られる空気流を前記手乾燥室内へ挿入された手に向かって吹き出すノズルと、
前記手乾燥室内の水滴を排出するために前記側面部材の外側表面を窪ませるように形成され前記手乾燥室から下方へ延びる排水溝と、
前記排水溝を覆うように前記側面部材に着脱自在に取り付けられる側面パネルと、
前記本体ハウジングの底部に、前記排水溝を通って流れる水を溜めるための水受けトレーと、を備え、
前記排水溝から流れる水を受け入れる水受入口が前記水受けトレーの上端に設けられており、
前記側面部材の外側表面には、前記正面部材から前記背面部材に向かう前後方向の少なくとも中央近傍の前記水受入口よりも下方において、上方に突出する本体側係合部が前後方向に延びるように設けられ、前記側面パネルの前記側面部材に対向する裏面には、前記本体側係合部と係合可能なようにパネル側係合部が設けられていることを特徴とする手乾燥装置。
【請求項２】
前記側面パネルの裏面には、前記排水溝から流れる水を前記水受入口に導く導水部が、前記水受入口よりも上方に位置するように、前記正面部材から前記背面部材に向かう前後方向に沿って形成されていることを特徴とする請求項１に記載の手乾燥装置。
【請求項３】
前記手乾燥室は、前記正面部材側に配置される正面側壁部と、前記背面部材側に配置される背面側壁部と、前記正面側壁部と前記背面側壁部とを繋ぐ側面側壁部とを有しており、
前記側面パネルには、前記側面側壁部の上端と係合可能なように上端係合部が設けられていることを特徴とする請求項１又は２に記載の手乾燥装置。
【請求項４】
前記側面側壁部は、前記正面側壁部の上端と前記背面側壁部との上端とを繋ぐように形成されていることを特徴とする請求項３に記載の手乾燥装置。
【発明の詳細な説明】
【技術分野】
【０００１】
本発明は、使用者の手に空気を吹き付けて乾燥させる手乾燥装置に関する。
【背景技術】
【０００２】
近年、鉄道の駅、ホテル、映画館あるいは大型商業設備などの公共施設のトイレや洗面所などには、水洗いした後の濡れた手を差し込み、自動的に吹き出す空気流によって乾燥する手乾燥装置が設置されている。この従来の手乾燥装置は、トイレや洗面所の壁面に取り付けられ、上面に設けられた開口部から手乾燥室内へ濡れた手を差し込むと、内蔵された電動送風機が自動的にＯＮして手乾燥室内へ空気流が吹き出し、この空気流によって手に付着した水を吹き飛ばしながら乾燥するようになっている（例えば、下記特許文献１参照）。
【先行技術文献】
【特許文献】
【０００３】
【特許文献１】特許第３８２６４０３号公報
【発明の概要】
【発明が解決しようとする課題】
【０００４】
上記従来の技術では、手乾燥室内へ濡れた手を差し込んで空気流が吹き出し、その空気流によって手に付着した水を吹き飛ばして乾燥する。手乾燥室内へ空気流を供給するノズルは、手乾燥室を形成する正面側壁部及び背面側壁部に設けられるものであり、手に当たった空気流は正面側壁部と背面側壁部との間を流れて側方より外部へ排出される。ここで、この側方部分に何らの手段も講じなければ、手から吹き飛ばされた水滴のうち側方に向かうものはそのまま外部へ排出されてしまい、手乾燥装置が設置されている場所の床を濡らしてしまうことが想定される。そこで上記従来の技術では、手乾燥室の側方に側面パネルを設けると共に、その側面パネルにルーバーを配置することで、空気流によって手から吹き飛ばされた水滴をルーバーで受け止めて空気流のみを外部に排出するように構成している。
【０００５】
側面パネルは、本体ハウジングに対して着脱自在に取り付けられており、上側側面パネルと下側側面パネルとに分割されている。上側側面パネルは手乾燥室の側面を覆って、手乾燥室の側面側壁部を構成し、下側側面パネルは手乾燥室から水受けトレーへと伸びる排水溝を覆うように構成されている。このように側面パネルを上側側面パネルと下側側面パネルとに分割すると、上側側面パネル及び下側側面パネルはそれぞれ小型化されるため取り外しがしやすいというメリットがある。
【０００６】
しかしながら、側面パネルを上側側面パネルと下側側面パネルとに分割すれば、部品点数が増えてしまい、製造コストの面からも部品管理の面からも改善する余地があるものといえる。また、側面パネルが配置される側方は、手乾燥装置を壁面に設置した場合にも外観面として見える部分であるから、側面パネルを一体的に構成して継ぎ目を見えないようにすることも意匠性の向上からは好ましいものといえる。
【０００７】
ところで、このように側面パネルを一体的に構成すると、側面パネルの上端と下端との間の距離は分割形成する場合に比較して長くなるので、側面パネルを本体ハウジングに取り付けるための係合手段を複数設ける必要があり、それぞれの係合手段間の距離も長くなる傾向にあって、側面パネルに設けた係合手段と本体ハウジングに設けた係合手段とを互いに係合させることは容易ではなくなる。従って、側面パネルを本体ハウジングに確実に取り付けようとすれば、側面パネルの本体ハウジングへの装着性は低下する傾向にあり、側面パネルの本体ハウジングへの装着容易性を確保しつつ、側面パネルを本体ハウジングに確実に取り付けることができる手乾燥装置が求められる。
【０００８】
本発明はこのような課題に鑑みてなされたものであり、その目的は、本体ハウジングの側面に取り付けられて排水溝を隠蔽する側面パネルを供える手乾燥装置であって、側面パネルの本体ハウジングへの装着容易性を確保しつつ、側面パネルを本体ハウジングに確実に装着することができる手乾燥装置を提供することにある。
【課題を解決するための手段】
【０００９】
上記課題を解決するために本発明に係る手乾燥装置は、使用者の手に空気を吹き付けて乾燥させる手乾燥装置であって、空気を吹き出す送風機と、前記送風機を内蔵し、正面部材、背面部材及び側面部材、並びに上面に開口する手挿入用開口部を有する手乾燥室から構成された箱状の本体ハウジングと、前記送風機から送られる空気流を前記手乾燥室内へ挿入された手に向かって吹き出すノズルと、前記手乾燥室内の水滴を排出するために前記側面部材の外側表面を窪ませるように形成され前記手乾燥室から下方へ延びる排水溝と、前記排水溝を覆うように前記側面部材に着脱自在に取り付けられる側面パネルと、前記本体ハウジングの底部に、前記排水溝を通って流れる水を溜めるための水受けトレーと、を備え、前記排水溝から流れる水を受け入れる水受入口が前記水受けトレーの上端に設けられており、前記側面部材の外側表面には、前記正面部材から前記背面部材に向かう前後方向の少なくとも中央近傍の前記水受入口よりも下方において、上方に突出する本体側係合部が前後方向に延びるように設けられ、前記側面パネルの前記側面部材に対向する裏面には、前記本体側係合部と係合可能なようにパネル側係合部が設けられていることを特徴とする。
【００１０】
本発明によれば、排水溝から流れる水を受け入れる水受入口が水受けトレーの上端に設けられており、水受入口よりも下方において、上方に突出する本体側係合部が設けられている。従って、手乾燥室から水受けトレーへと延びる排水溝よりも下方において本体側係合部を配置することができ、排水溝の前後に分かれることなく前後方向の中央近傍に本体側係合部を設けることができる。そのように排水溝によって前後に分割されることなく中央近傍に設けられる本体側係合部に対応するように、側面パネルの裏面にパネル側係合部を設けるので、例えば、前後方向に延びる本体側係合部の一端にパネル側係合部を係合させることで残りの部分も係合させることができ、側面パネルの前後方向の中央近傍を極めて容易且つ確実に本体ハウジングに係合することができる。このように、本体ハウジングと側面パネルとを前後方向の中央近傍において互いに係合するので、その係合部分を一箇所若しくは極めて近接した複数個所に集約することができ、側面パネルの本体ハウジングへの装着を極めて容易且つ確実に行うことができる。
【００１１】
また本発明に係る手乾燥装置では、前記側面パネルの裏面には、前記排水溝から流れる水を前記水受入口に導く導水部が、前記水受入口よりも上方に位置するように、前記正面部材から前記背面部材に向かう前後方向に沿って形成されていることも好ましい。
【００１２】
この好ましい態様では、導水部が水受入口よりも上方に位置するように設けられているので、排水溝から流れる水を確実に水受けトレーへと導くことができる。更に、導水部は側面パネルの裏面に設けられているので、側面パネルの裏面を伝って落ちてくる水も確実に水受けトレーへと導くことができる。導水部は前後方向に沿って形成されているので、水が流れてくると想定される部分に渡って形成することができ、本体側係合部及びパネル側係合部へ水が垂れることを防止することができる。
【００１３】
また本発明に係る手乾燥装置では、前記手乾燥室は、前記正面部材側に配置される正面側壁部と、前記背面部材側に配置される背面側壁部と、前記正面側壁部と前記背面側壁部とを繋ぐ側面側壁部とを有しており、前記側面パネルには、前記側面側壁部の上端と係合可能なように上端係合部が設けられていることも好ましい。
【００１４】
この好ましい態様では、側面側壁部の上端と係合する上端係合部を側面パネルに設けているので、上端係合部を側面側壁部と係合させることで側面パネルを本体ハウジングに密接させることができる。また、側面パネルを上方から係合させることで、本体ハウジングに対する側面パネルの位置決めを簡単に行うことができ、側面パネルの装着がより容易なものとなる。
【００１５】
また本発明に係る手乾燥装置では、前記側面側壁部は、前記正面側壁部の上端と前記背面側壁部との上端とを繋ぐように形成されていることも好ましい。
【００１６】
この好ましい態様では、側面側壁部が正面側壁部の上端と背面側壁部の上端とを繋ぐように形成されているので、側面側壁部の上端に係合される側面パネルは正面側壁部及び背面側壁部の上端までを覆うように配置され、手乾燥室の上端までを覆うように配置される。従って、手乾燥室において水の飛散が発生しても、その水を外部にまで飛散しないように構成することが可能となり、装着容易性を確保しつつ水飛散を確実に防止することができる。
【発明の効果】
【００１７】
本発明によれば、側面パネルの本体ハウジングへの装着容易性を確保しつつ、側面パネルを本体ハウジングに確実に装着することができる手乾燥装置を提供することができる。
【図面の簡単な説明】
【００１８】
【図１】本発明の実施形態である手乾燥装置の配置態様を示す図である。
【図２】図１に示す手乾燥装置の外観を示す斜視図である。
【図３】図２に示す手乾燥装置の一部破断正面図である。
【図４】図２に示す手乾燥装置の一部破断背面図である。
【図５】図３に示す手乾燥装置のＡ−Ａ断面図である。
【図６】図３に示す手乾燥装置のＢ−Ｂ断面図である。
【図７】本実施形態の手乾燥装置を示す斜視図であって、側面パネルを取り外した状態を示す図である。
【図８】図７の水受けトレー近傍における縦断面図である。
【図９】図７に示す手乾燥装置の変形例を示す図である。
【図１０】図７に示す手乾燥装置の変形例を示す図である。
【図１１】図７に示す手乾燥装置の変形例を示す図である。
【発明を実施するための形態】
【００１９】
以下、添付図面を参照しながら本発明の実施の形態について説明する。説明の理解を容易にするため、各図面において同一の構成要素に対しては可能な限り同一の符号を付して、重複する説明は省略する。
【００２０】
図１及び図２を参照しながら、本発明の一実施形態である手乾燥装置について説明する。図１は本発明の実施形態である手乾燥装置１を洗面所に設置した状態を示す斜視図、図２は手乾燥装置１の斜視図である。
【００２１】
図１に示すように、本実施形態の手乾燥装置１は、例えば、洗面所などの壁面Ｗに設置されている水栓Ｆ付きの洗面器Ｌの側方に設置され、水栓Ｆおよび洗面器Ｌを利用して手を洗った人が、濡れた手を乾燥するために使用するものである。
【００２２】
なお、以下、説明の便宜上、本実施形態の手乾燥装置１を構成する部分（要素）において、手の掌側を乾燥させるための関連要素の各名称の説明において「掌側」と記載し、手の甲側を乾燥させるための関連部分の各名称の説明において「甲側」と記載する場合があり、位置関係を説明する際にも同様の趣旨で「掌側」又は「甲側」との語を用いる場合がある。手乾燥装置１を壁面Ｗに取り付けた状態で使用者を基準に換言すれば、「掌側」とは「手前側」であり、「甲側」とは「壁面側」である。従って、「掌側」の代わりに「手前側」を用い、「甲側」の代わりに「壁面側」を用いる場合もある。なお、本実施形態では手乾燥装置１を洗面所の壁面Ｗに設置する場合について説明しているが、手乾燥装置１の設置態様はこれに限られるものではなく、例えば壁面Ｗに固定されずに床面に立設される場合もある。
【００２３】
図２に示すように、手乾燥装置１は、本体ハウジング２及び水受けトレー１９を備えている。本体ハウジング２は、手前側部材２ａと、壁面側部材２ｂと、手前側部材２ａと壁面側部材２ｂとを繋ぐ一対の側面部材（本発明の側面側壁部に相当する。図２においては明示しない）とによって構成されている。本体ハウジング２の一対の側面部材には、側面パネル２ｃと、側面パネル２ｄとが着脱自在に取り付けられている。本体ハウジング２には手乾燥室としての開口凹部４が形成され、その開口凹部４の下方には送風機（図１及び図２においては明示せず、詳細は後述する）が内蔵されている。開口凹部４は上方に開口しており、使用者が手を差し入れるための手挿入用開口部４ｕが形成されている。
【００２４】
手乾燥装置１を壁面Ｗに取り付けた状態で使用者に対して手前側となる手前側部材２ａは、水平方向に直線状に略等間隔に列設された複数のノズル６ａを備えている（ノズル６ａは、図１及び図２には明示せず、詳細は後述する）。また、手乾燥装置１を壁面Ｗに取り付けた状態で使用者に対して壁面側となる壁面側部材２ｂは、ノズル６ａと同様に水平方向に直線状に略等間隔に列設された複数のノズル６ｂを備えている。ノズル６ａ及びノズル６ｂは、送風機から送給される空気流を開口凹部４内へ吹き出すためのノズルである。
【００２５】
また、本体ハウジング２の右側面には側面パネル２ｄが着脱可能に装着され、側面パネル２ｄには、ノズル６ａ，６ｂから吹き出した空気流を外部に排出するための排気口５が形成されている。なお、本体ハウジング２の左側面にも側面パネル２ｄと鏡面対称な形状を有する側面パネル２ｃ（図１及び図２には明示しない）が着脱可能に装着されている。そして、開口凹部４内に差し込まれた濡れた手から吹き飛ばされた水滴を回収するため、本体ハウジング２の底部に、水受けトレー１９が着脱可能に取り付けられている。
【００２６】
続いて、図３〜図６を参照しながら手乾燥装置１について更に詳細に説明する。図３及び図４は、手乾燥装置１を示す一部破断正面図及び一部破断背面図であり、図５及び図６は、図３に示す手乾燥装置１のＡ−Ａ断面図及びＢ−Ｂ断面図である。なお、図３〜図６では、空気または風の流れを矢印で示している。
【００２７】
図３〜図６に示すように、本実施形態の手乾燥装置１は、手乾燥装置本体を取り囲む本体ハウジング２を備えている。この本体ハウジング２の上部には、本体ハウジング２の上方からその内部へ並べた両手を挿入することができるように、上端が開口した開口凹部４が設けられている。
【００２８】
この開口凹部４は、そこに手を挿入して風を当てて乾燥させる部分（手乾燥室）である。通常、掌を本体ハウジング２の手前側部材２ａ側に向け、手の甲を本体ハウジング２の壁面側部材２ｂ側に向けた姿勢で、手を本体ハウジング２の上方から開口凹部（手乾燥室）４内へ挿入するようになっている。
【００２９】
本実施形態の手乾燥装置１では、手を本体ハウジング２の上方から開口凹部４内へ挿入し、開口凹部４の掌側壁面４ａ（正面側壁部）及び甲側壁面４ｂ（背面側壁部）にそれぞれ設けられたセンサ３ａ，３ｂが手を検知すると、両壁面４ａ，４ｂのそれぞれにほぼ水平方向直線状に設けられた複数の掌側用のノズル６ａ及び甲側用のノズル６ｂから、手の掌側及び甲側にそれぞれ温風が吹き付けられ、手に付着していた水滴を飛ばしながら下方へ流れるようになっている。尚、空気流の詳細については後に詳述する。
【００３０】
また、本体ハウジング２内には、掌側用のノズル６ａ及び甲側用のノズル６ｂのそれぞれに送風するための掌側用のファンモータユニット８ａ（送風機）及び甲側用のファンモータユニット８ｂ（送風機）が互いに隣接して設けられている。各ファンモータユニット８ａ，８ｂは、その回転駆動軸１０ａ，１０ｂが本体ハウジング２の手前側部材２ａ及び又は壁面側部材２ｂに対して垂直な方向に延びるように配置されている（図５及び図６参照）。
【００３１】
なお、掌側用及び甲側用のファンモータユニット８ａ，８ｂとも同一の最大出力を有する同一形態のものであり、両者とも回転駆動軸１０ａ，１０ｂの回転数を所望に変えることができるようになっている。一般的に手の甲側と掌側で同一の風量で乾燥させた場合、掌側の方が乾燥しにくいことが知られており、手乾燥装置１の使用時には、掌側用の回転駆動軸１０ａが甲側用の回転駆動軸１０ｂよりも高速に回転するように各ファンモータユニット８ａ，８ｂを設定し、掌側に供給する風量が手の甲側に供給する風量に比べて大きくするのが好ましい。
【００３２】
また、甲側用のファンモータユニット８ｂは、本体ハウジング２の底部に隣接して配置され、掌側用のファンモータユニット８ａは、その回転駆動軸１０ａが回転駆動軸１０ｂに対して前方斜め上方に位置するように、甲側用のファンモータユニット８ｂの前方斜め上方に隣接して配置されている。さらに、各ファンモータユニット８ａ，８ｂの各ケーシング１２ａ，１２ｂの後端部には、掌側用及び甲側用の吸込口１４ａ，１４ｂがそれぞれ設けられている。
【００３３】
一方、各ファンモータユニット８ａ，８ｂの各吹出ダクト１５ａ，１５ｂの下流端には、上方に突出する掌側用及び甲側用の吹出口１６ａ，１６ｂがそれぞれ形成されている。この各吹出口１６ａ，１６ｂには、掌側用及び甲側用のフィンヒータ１８ａ，１８ｂがそれぞれ設けられ、各フィンヒータ１８ａ，１８ｂにより、各吹出口１６ａ，１６ｂから吹き出される空気が温められるようになっている。
【００３４】
また、本体ハウジング２の底部２ｅには水受けトレー１９が設けられており、開口凹部４内において両端がなで肩形状の底面４ｃに落ちて両側に掃けた水が、本体ハウジング２を構成する側面部材の外側表面を窪ませて形成されてなる排水溝（図１〜図６において明示せず）を伝って水受けトレー１９内に落ちるようになっている。さらに、水受けトレー１９の背面側には、フィルタ２０を備えた空気取入口２２が設けられ、この空気取入口２２には、掌側用及び甲側用の吸気ダクト２４ａ，２４ｂがそれぞれ接続されている。
【００３５】
各吸気ダクト２４ａ，２４ｂは、それらの上流端２６ａ，２６ｂが空気取入口２２のフィルタ２０の上に配置され、各上流端２６ａ，２６ｂと各吸込口１４ａ，１４ｂを連通させるように、各上流端２６ａ，２６ｂから本体ハウジング２の壁面側部材２ｂに沿って上方にほぼ真っ直ぐに延びている。手乾燥装置１の作動中、本体ハウジング２の外部の空気は、空気取入口２２からフィルタ２０を介して、各吸気ダクト２４ａ，２４ｂに別々に吸込まれるようになっている。
【００３６】
さらに、各吸気ダクト２４ａ，２４ｂ内のそれぞれの上部において、各ファンモータユニット８ａ，８ｂの各吸込口１４ａ，１４ｂに隣接して掌側用及び甲側用の吸音材２８ａ，２８ｂがそれぞれ配置されており、各吸音材２８ａ，２８ｂにより、各ファンモータユニット８ａ，８ｂの作動中に各吸込口１４ａ，１４ｂから漏出した音がそれぞれ吸収されるようになっている。
【００３７】
また、掌側用の吹出口１６ａには掌側用の送風ダクト３０ａが接続されており、この掌側用の送風ダクト３０ａは、本体ハウジング２の手前側部材２ａに隣接して吹出口１６ａから上方に延びるように形成されている。さらに、掌側用の送風ダクト３０ａ内の背面は、上述した開口凹部４の掌側壁面４ａを形成しており、送風ダクト３０ａ内の上部の背面側には、複数の掌側用のノズル６ａが掌側用の吹出口１６ａのほぼ真上に位置するように配置されている（図５参照）。
【００３８】
一方、甲側用の吹出口１６ｂには、掌側用の吹出口１６ａと同様に、甲側用の送風ダクト３０ｂが接続されており、この甲側用の送風ダクト３０ｂは、甲側用の吹出口１６ｂから開口凹部４の甲側壁面４ｂに配置されている複数のノズル６ｂへと延びるように形成されている（図６参照）。
【００３９】
尚、本体ハウジング２の各寸法については、成人の両手を並べて開口凹部４内へ挿入した際に、掌と手の甲が、開口凹部４の掌側壁面４ａ及び甲側壁面４ｂのそれぞれと接触しないように寸法決めされている。
【００４０】
例えば、本体ハウジング２の横幅については、好ましくは２００ｍｍ〜３５０ｍｍであり、最も好ましくは３００ｍｍである。また、本体ハウジングの奥行は、好ましくは１２０ｍｍ〜２５０ｍｍであり、最も好ましくは１８０〜２００ｍｍである。また、掌側用のノズル６ａと甲側用のノズル６ｂとの距離については、好ましくは７０ｍｍ〜１００ｍｍであり、最も好ましくは８５ｍｍである。また、本体ハウジング２の高さは、好ましくは４５０ｍｍ〜７００ｍｍである。このような寸法を採用するのは、意匠上コンパクトで好ましいことと、使い勝手の向上が図れるためである。例えば、車椅子使用時には車椅子のフットレストとの干渉が無くなり、車椅子の取り回しが楽になるという使い勝手の向上が見込まれる。また、小学校等へ設置する際には、取り付け高さを低くすることで上端高さを低くすることができ、小学生等が利用する際の使い勝手の向上が見込まれる。
【００４１】
本実施形態の手乾燥装置１では、手を本体ハウジング２の上方から開口凹部４内へ挿入し、開口凹部４の掌側壁面４ａ及び甲側壁面４ｂにそれぞれ設けられたセンサ３ａ，３ｂが手を検知すると、ＣＰＵ及びメモリといった構成要素からなる制御手段（図示しない）によってファンモータユニット８ａ，８ｂが駆動され、両壁面４ａ，４ｂのそれぞれにほぼ水平方向直線状に設けられた複数の掌側用のノズル６ａ及び甲側用のノズル６ｂから、手の掌側及び甲側にそれぞれ温風が吹き付けられ、手に付着していた水滴を飛ばしながら下方へ流れるようになっている。
【００４２】
本実施形態では、手前側に配置されるセンサ３ａを受光素子とし、壁面側に配置されるセンサ３ｂを発光素子としている。発光素子であるセンサ３ａから出射される光を受光素子であるセンサ３ｂが受光することができるように、センサ３ｂとセンサ３ａとの位置関係が設定されている。この手乾燥装置１は、センサ３ａから出射される光をセンサ３ｂが受光しなかった場合に、使用者の手が開口凹部４へと挿入されたものとして、上述したような動作を実行するように構成されている。
【００４３】
センサ３ａは、図３及び図５に示すように、手前側に配置される掌側用のノズル６ａの下方であって、開口凹部４の壁面４ａに沿った幅方向略中央に配置されている。一方、センサ３ｂは、図４及び図５に示すように、壁面側に配置される甲側用のノズル６ｂの下方であって、開口凹部４の壁面４ｂに沿った幅方向略中央に配置されている。
【００４４】
続いて、図７を参照しながら、手乾燥装置１の本体ハウジング２と側面パネル２ｄとの取り付け関係について説明する。尚、側面パネル２ｃ側も鏡面対象であって、その基本構造は同一であるので説明を省略する。図７に示すように、本体ハウジング２に対して側面パネル２ｄは着脱自在に取り付けられており、図７は側面パネル２ｄを取り外した状態を示している。本体ハウジング２から側面パネル２ｄを取り外すと、本体ハウジング２の側面部材３４が露出する。
【００４５】
側面部材３４には、開口凹部４に対応する開口部が設けられていて、開口凹部４の底面４ｃから下方に向かって排水溝３２が形成されている。排水溝３２は、開口凹部４から排出される水を水受けトレー１９に排出するための溝であって、側面部材３４の略中央を窪ませることで形成されている。側面部材３４の側面下端３４２側には、水受けトレー１９を排水溝３２に対して露出させるためのトレー収納用開口部３４４が形成されている。トレー収納用開口部３４４の下方における側面部材３４には第一面３４３が形成され、トレー収納用開口部３４４の上方における側面部材３４には第二面３４５が形成されている。
【００４６】
側面部材３４の第一面３４３には、上方に向けて第一面３４３から突出する本体側係合部３６が設けられている。本体側係合部３６は、手前側部材２ａから壁面側部材２ｂに向かう前後方向の少なくとも中央近傍に設けられるものであって、本実施形態ではその中央近傍を挟んで手前側部材２ａ側にも壁面側部材２ｂ側にも延伸された形状をなしている。
【００４７】
側面部材３４の第二面３４５は、第一面３４３よりも本体ハウジング２の中央側に向かって（換言すれば反対側の側面パネル２ｃが設置される方向に向かって）後退するように形成されている。側面部材３４の第二面３４５よりも上方には、排水溝３２が形成されている第三面３４６が設けられている。第二面３４５は、排水溝３２の最も窪んだ部分よりも後退するように形成されているので、排水溝３２から排出される水が確実に水受けトレー１９内に滴下するように形成されている。
【００４８】
側面パネル２ｄの開口凹部４に対応する位置には、排気口５が形成されている。側面パネル２ｄのパネル上端５１には、上端係合部５３が設けられている。上端係合部５３は、本体ハウジング２の側面部材３４の側面上端３４１に設けられている凹部３４１ａと係合するように形成されている。本実施形態の場合、側面上端３４１は、開口凹部４の壁面４ａと壁面４ｂとを繋ぐ側面側壁部として構成されている。
【００４９】
側面パネル２ｄのパネル下端５２側には、パネル側係合部５５が設けられている。パネル側係合部５５は、側面部材３４に形成されている本体側係合部３６と係合可能なように形成されている。側面パネル２ｄのパネル側係合部５５よりも上方には、導水部５４が形成されている。導水部５４は、排水溝３２から流れる水を水受けトレー１９に導くためのものであって、側面パネル２ｄのパネル前端５６近傍からパネル後端５７近傍にかけて、パネル前端５６からパネル後端５７に向かう前後方向に沿って形成されている。
【００５０】
側面部材３４の第一面３４３、第二面３４５、及び第三面３４６近傍の状態を詳述するために、図８を参照しながら説明する。図８は、側面部材３４の第一面３４３、第二面３４５、及び第三面３４６近傍の前後方向略中央部分の縦断面図である。
【００５１】
図８に示すように、第一面３４３に形成された本体側係合部３６は、側面パネル２ｄに形成されたパネル側係合部５５が係合するように構成されており、側面パネル２ｄの下方を本体ハウジング２の側面部材３４に密着させている。第二面３４５は、第一面３４３よりも後退しており、且つ排水溝３２よりも後退した位置に形成されている。従って、第一面３４３近傍まで水受けトレー１９を配置させると、水受けトレー１９の水受入口１９ａに対して第二面３４５が干渉しないように形成されている。
側面パネル２ｄに設けられた導水部５４は、排水溝３２の下方であって、水受けトレー１９の水受入口１９ａよりも上方に位置するように構成されている。側面パネル２ｄを本体ハウジング２の側面部材３４に装着すると、導水部５４は、排水溝３２よりも奥側に突出し、その先端が水受入口１９ａの上方に位置する。より具体的には、導水部５４の先端５４ａは、排水溝３２の底面３２ａよりも第二面３４５側に後退するように形成されている。また、導水部５４の先端５４ａは、水受けトレー１９の内面１９１よりも内側に突出している。従って、排水溝３２を流れてくる水は確実に導水部５４に当たって、導水部５４の先端５４ａから水受入口１９ａへと注がれる。従って、排水溝３２から滴下した水や、排水溝３２以外から滴下した水を水受入口１９ａから水受けトレー１９に導くことができる。
【００５２】
上述した側面パネル２ｄの上端係合部５３は、側面パネル２ｄのパネル前端５６からパネル後端５７に至る間の一部に設けられているけれども、上端係合部５３を前後方向に延伸することも好ましい態様である。この好ましい態様の一例を図９に示す。
【００５３】
図９に示す手乾燥装置１ａでは、側面パネル２ｄａのパネル上端５１に上端係合部５３ａを設けている。上端係合部５３ａは、側面パネル２ｄのパネル前端５６からパネル後端５７に至るまで形成されている。この上端係合部５３の形状に合わせて、本体ハウジング２の側面部材３４の側面上端３４１に凹部３４１ｂが形成されている。更に図９に示す手乾燥装置１ａでは、パネル側係合部５５ａも、側面パネル２ｄのパネル前端５６からパネル後端５７に至るまで形成されている。このパネル側係合部５５ａの形状に合わせて、本体ハウジング２側の本体側係合部３６ａが形成されている。
【００５４】
また、上述した側面パネル２ｄを側面部材３４に装着するために、側面パネル２ｄのパネル上端５１とパネル下端５２近傍とにそれぞれ係合手段を設けているけれども、係合手段を更に追加することも好ましい態様である。この好ましい態様の一例を図１０に示す。
【００５５】
図１０に示す手乾燥装置１ｂでは、側面パネル２ｄｂの排気口５の下端近傍に中間係合部５８を設けている。中間係合部５８は、開口凹部４の底面４ｃよりやや上方に位置するように形成されているので、本体ハウジング２側においては、開口凹部４の底面４ｃよりやや上方に本体側中間係合部４１を設けている。従って、本体ハウジング２と側面パネル２ｄｂとは、本体側係合部３６とパネル側係合部５５とが係合し、本体側中間係合部４１と中間係合部５８とが係合し、凹部３４１ａと上端係合部５３とが係合することで、互いに密接するように装着されている。
【００５６】
更に、図１０に示す手乾燥装置１ｂにおける、側面パネル２ｄｂの排気口５近傍から上方部分を、切除した形態とすることも好ましい態様である。この好ましい態様の一例を図１１に示す。
【００５７】
図１１に示す手乾燥装置１ｃでは、本体ハウジング２側の開口凹部４に設けられている本体側中間係合部４１に係合するように、側面パネル２ｄｃに上端係合部６３を設け、この上端係合部６３の位置に合わせて側面パネル２ｄｃのパネル上端６１を形成している。このようにすることで、側面パネル２ｄｃをコンパクトに形成することができる。
【符号の説明】
【００５８】
１：手乾燥装置
２：本体ハウジング
２ａ：手前側部材
２ｂ：壁面側部材
２ｃ：側面パネル
２ｄ：側面パネル
２ｅ：底部
３ａ，３ｂ：センサ
４：開口凹部
４ａ，４ｂ：壁面
４ｃ：底面
４ｕ：手挿入用開口部
５：排気口
６ａ，６ｂ：ノズル
８ａ，８ｂ：ファンモータユニット
１０ａ，１０ｂ：回転駆動軸
１２ａ，１２ｂ：ケーシング
１４ａ，１４ｂ：吸込口
１５ａ，１５ｂ：吹出ダクト
１６ａ，１６ｂ：吹出口
１８ａ，１８ｂ：フィンヒータ
１９：水受けトレー
２０：フィルタ
２２：空気取入口
２４ａ，２４ｂ：吸気ダクト
２６ａ，２６ｂ：上流端
２８ａ，２８ｂ：吸音材
３０ａ：送風ダクト
３０ｂ：送風ダクト
Ｆ：水栓
Ｌ：洗面器
Ｗ：壁面
１ａ：手乾燥装置
１ｂ：手乾燥装置
１ｃ：手乾燥装置
２ｄａ：側面パネル
２ｄｂ：側面パネル
２ｄｃ：側面パネル
１９ａ：水受入口
３２：排水溝
３２ａ：排水溝の底面
３４：側面部材
３６：本体側係合部
３６ａ：本体側係合部
４１：本体側中間係合部
５１：パネル上端
５２：パネル下端
５３：上端係合部
５３ａ：上端係合部
５４：導水部
５４ａ：導水部の先端
５５：パネル側係合部
５５ａ：パネル側係合部
５６：パネル前端
５７：パネル後端
５８：中間係合部
６１：パネル上端
６３：上端係合部
３４１：側面上端
３４１ａ：凹部
３４１ｂ：凹部
３４２：側面下端
３４３：第一面
３４４：トレー収納用開口部
３４５：第二面
３４６：第三面
【図１】
2011072399.tif 000003
【図２】
2011072399.tif 000004
【図３】
2011072399.tif 000005
【図４】
2011072399.tif 000006
【図５】
2011072399.tif 000007
【図６】
2011072399.tif 000008
【図７】
2011072399.tif 000009
【図８】
2011072399.tif 000010
【図９】
2011072399.tif 000011
【図１０】
2011072399.tif 000012
【図１１】
2011072399.tif 000013